(57)【要約】【課題】ヘアキャッチャーへの毛髪等の絡み付きが防止されると共に、排水流量も常に十分に多くすることができる防水パンを提供する。【解決手段】洗い場１４の立上り部１６に沿う辺部にガイド部２４が設けられている。洗い場１４上の水のうち立上り部１６に向った水は、ガイド部２４に案内され、主流入部Ｍから凹所１８内に流れ込み、ヘアキャッチャー３２を通って排水トラップへ流出する。このヘアキャッチャー３２の取っ手３４は、ヘアキャッチャー３２の中心から見て立上り部１６側に位置している。主流入部Ｍからヘアキャッチャー３２に流れる水中の毛髪等が取っ手３４に絡み付くことがなく、また常に十分に多い排水流量が確保されるようになる。【選択図】図３
2011226197.tif 000002
【特許請求の範囲】
【請求項１】
洗い場に排水部が設けられた防水パンであって、
該排水部は、洗い場のフロア面から凹陥する凹所と、該凹所に被装された排水カバーと、該凹所内に配置されたヘアキャッチャーとを有し、
該ヘアキャッチャーの周縁部の一部に取っ手が設けられている防水パンにおいて、
該排水カバーの外周縁部と該凹所の上縁部との間の一部に、洗い場排水を該凹所内に流入させるための主流入部が設けられており、
前記取っ手は、該主流入部とヘアキャッチャー中心部とを結ぶ直線上からずれた位置に配置されていることを特徴とする防水パン。
【請求項２】
請求項１において、前記凹所は前記洗い場の一辺部の途中に設けられており、
前記主流入部は、該排水カバーの中央を挟んで対峙する２箇所に配置され、該主流入部同士を結ぶ方向は前記一辺部と略平行方向であることを特徴とする防水パン。
【請求項３】
請求項２において、前記一辺部は、洗い場の浴槽側の立上り部であり、
該洗い場のフロア面には、該立上り部に沿って延在する、洗い場排水を前記主流入部に導くためのガイド部が設けられていることを特徴とする防水パン。
【請求項４】
請求項３において、前記取っ手は浴槽側に配置されていることを特徴とする防水パン。
【請求項５】
請求項１ないし４のいずれか１項において、前記主流入部は、前記排水カバーの外周縁部に設けられた切欠状部によって形成されていることを特徴とする防水パン。
【発明の詳細な説明】
【技術分野】
【０００１】
本発明は防水パンに係り、特に洗い場の排水トラップのヘアキャッチャーへの毛髪等の絡み付きを防止するよう構成した防水パンに関する。
【背景技術】
【０００２】
従来、例えば特許文献１に示すように、浴室の洗い場に形成される排水孔（排水枡）には排水孔を覆う排水カバーが載置され、洗い場上の水は排水カバーと排水孔の周縁部の間に形成された流水用隙間を介して排水孔に排出される。
【０００３】
通常、上記排水孔にはヘアキャッチャーが配置され、流水用隙間からの水をヘアキャッチャーに通過させることで毛髪やごみを捕集するようにしている。また、このヘアキャッチャーは捕集した毛髪やゴミを取り除くために定期的に排水孔から取り出す必要があるため、ヘアキャッチャーには取り出しを容易にするために外側端部から上側に向けて取手部を突設している。
【０００４】
しかし、上記取手部を設けた場合、流水用隙間からヘアキャッチャー側に流れる排水に含まれた毛髪がヘアキャッチャーの取手部に引っ掛かって絡まることがあり、このように取手部に絡まった毛髪は取り除き難いという問題がある。
【０００５】
特許文献２には排水カバーの下面に前記流水用隙間から流入した水が取手部側へ流れることを防止するための遮断用リブを設けることが記載されている。このように排水カバーの下面に遮断用リブを設けることで、流水用隙間から流入した排水の流れを遮断用リブにより遮断して、流水用隙間からの排水が取手部側へ流れることを防止でき、これによりヘアキャッチャーの取手部に排水に含まれる毛髪が引っ掛かって絡まることを防止できる。
【先行技術文献】
【特許文献】
【０００６】
【特許文献１】特開２０００−２９７４５０号公報
【特許文献２】特開２００９−７７７７号公報
【発明の概要】
【発明が解決しようとする課題】
【０００７】
しかしながら、上記特許文献２では、遮断用リブに流水用隙間からの排水が直撃状に当り、該遮断用リブに毛髪等が絡み付き易くなり、流水用隙間の流水量が減少するおそれがある。
【０００８】
本発明は、ヘアキャッチャーへの毛髪等の絡み付きが防止されると共に、排水流量も常に十分に多くすることができる防水パンを提供することを目的とする。
【課題を解決するための手段】
【０００９】
請求項１の防水パンは、洗い場に排水部が設けられた防水パンであって、該排水部は、洗い場のフロア面から凹陥する凹所と、該凹所に被装された排水カバーと、該凹所内に配置されたヘアキャッチャーとを有し、該ヘアキャッチャーの周縁部の一部に取っ手が設けられている防水パンにおいて、該排水カバーの外周縁部と該凹所の上縁部との間の一部に、洗い場排水を該凹所内に流入させるための主流入部が設けられており、前記取っ手は、該主流入部とヘアキャッチャー中心部とを結ぶ直線上からずれた位置に配置されていることを特徴とするものである。
【００１０】
請求項２の防水パンは、請求項１において、前記凹所は前記洗い場の一辺部の途中に設けられており、前記主流入部は、該排水カバーの中央を挟んで対峙する２箇所に配置され、該主流入部同士を結ぶ方向は前記一辺部と略平行方向であることを特徴とするものである。
【００１１】
請求項３の防水パンは、請求項２において、前記一辺部は、洗い場の浴槽側の立上り部であり、該洗い場のフロア面には、該立上り部に沿って延在する、洗い場排水を前記主流入部に導くためのガイド部が設けられていることを特徴とするものである。
【００１２】
請求項４の防水パンは、請求項３において、前記取っ手は浴槽側に配置されていることを特徴とするものである。
【００１３】
請求項５の防水パンは、請求項１ないし４のいずれか１項において、前記主流入部は、前記排水カバーの外周縁部に設けられた切欠状部によって形成されていることを特徴とするものである。
【発明の効果】
【００１４】
本発明の防水パンでは、洗い場排水は主流入部を通って凹所内に流れ込み、ヘアキャッチャーを通過して排出される。この主流入部とヘアキャッチャー中心部とを結ぶ直線上からずれた位置にヘアキャッチャーの取っ手が配置されているので、毛髪等が取っ手に絡み付くことが防止される。本発明では、主流入部からヘアキャッチャーに向って流れる水を遮る遮断用リブがないので、該リブに毛髪等が絡み付くこともなく、排水流量が常に十分に多いものとなる。
【００１５】
請求項２の防水パンによれば、洗い場一辺部に沿って凹所に向って流れてきた水が、各主流入部からスムーズに凹所内に流れ込む。
【００１６】
請求項３の防水パンによれば、洗い場上を浴槽側に向って流れた水がガイド部に沿ってスムーズに凹所に向って流れ、ガイド部より浴槽側には洗い場排水や毛髪等が流れていきづらくなる。
【００１７】
請求項４の通り、取っ手を浴槽側に配置すると、ガイド部により毛髪等が浴槽側に流れづらいため、より取っ手に毛髪が絡みつきづらくなる。取っ手を視認し易くなる。
【００１８】
請求項５の防水パンによれば、防水パンの本体側の構成を変えることなく、排水カバーのみを切欠状部付きのものとすることにより、主流入部を所定位置に形成することができる。
【図面の簡単な説明】
【００１９】
【図１】（ａ）図は実施の形態に係る防水パンの平面図、（ｂ）図は（ａ）図のＢ−Ｂ線断面斜視図である。
【図２】図１の防水パンの排水カバー付近の斜視図である。
【図３】図１の防水パンの排水カバーを開けた状態の排水口付近の斜視図である。
【図４】図２のIV−IV線断面図である。
【発明を実施するための形態】
【００２０】
以下図面を参照して本発明の実施の形態を詳細に説明する。第１図（ａ）は実施の形態に係る構造に用いられる防水パンの平面図、第１図（ｂ）は第１図（ａ）のＢ−Ｂ線に沿う断面斜視図である。
【００２１】
この防水パン１０は、浴槽設置部１２と洗い場１４とが一体に設けられたものである。浴槽設置部１２と洗い場１４との間は立上り部１６によって隔てられており、この立上り部１６の長手方向の中間部付近に隣接して排水トラップ設置用の凹所（排水枡）１８が設けられている。後述の通り、この凹所１８に排水トラップ及びヘアキャッチャー３２が設置され、排水カバー４０が被装される。
【００２２】
防水パン１０の周囲部には壁パネル載置部２６が設けられ、この壁パネル載置部２６の外縁から水返し片２８が立設されている。
【００２３】
第２〜４図に詳細に示される通り、洗い場１４の立上り部１６に沿う辺部にあっては、小さい段部よりなるガイド部２４が設けられている。このガイド部２４を構成する段部は、立上り部１６側が高位となるように立ち上がっている。この洗い場１４には、凹所１８に向って下り勾配となる排水勾配が設けられているので、洗い場上の水のうち立上り部１６に向って流れた水は、このガイド部２４に当たると流れ方向を変えて凹所１８に向って流れる。ガイド部２４は、凹所１８の上縁の辺部のうち、立上り部１６と略直交方向の辺部に連なっている。ガイド部２４を構成する段部の高さは、凹所１８の辺部と交わる部分において３〜３０ｍｍ特に５〜１０ｍｍ程度が好ましい。
【００２４】
なお、この実施の形態では、ガイド部２４は、立上り部１６の全長にわたって延設されているが、凹所１８近傍にのみ設けられてもよい。立上り部１６の全長に対するガイド部２４の全長の比率は３０％以上特に６０％以上であることが好ましい。
【００２５】
凹所１８は、平面視形状が略長方形の枡状部である。凹所１８の上縁のうちの１対の２辺は立上り部１６と略平行方向に延在し、他の２辺は立上り部１６と略直交方向に延在している。凹所１８の底部に、排水トラップ連結用の開口２０（第１，４図）が設けられている。凹所１８の４コーナー部に、上向き段部よりなる排水カバーの載置部２２が設けられている。
【００２６】
凹所１８の底部の開口２０に排水トラップ（図示略）が接続フランジ３０を介して連結される。この接続フランジ３０に上方から係合させるようにしてヘアキャッチャー３２が装着される。このヘアキャッチャー３２の上縁の周方向の一部に取っ手３４が設けられている。この取っ手３４は、浴槽側、即ち立上り部１６側に配置されている。
取っ手を浴槽側に配置する方法としては、取扱説明書による指示や、接続フランジに取っ手の向きを示す印をつける、または取っ手が浴槽側を向く位置でロックされる機構を設けることなどが考えられる。
【００２７】
前記排水カバー載置部２２に４コーナー部を載せるようにして排水カバー４０が装着される。この排水カバー４０は、略長方形の板状体よりなる。この排水カバー４０のうち、立上り部１６と直交方向に延在する２辺にはそれぞれ切欠状部４２が設けられている。この切欠状部４２と凹所１８の上縁部との間に主流入部Ｍ（第２図）が形成される。第２図の通り、ガイド部２４はこの主流入部Ｍの立上り部１６側の端部付近に臨んでいる。なお、主流入部Ｍの隙間幅（排水カバー４０と凹所の上縁部との間隔）は３〜１５ｍｍ特に６〜８ｍｍ程度が好適であり、その他の部分における排水カバー４０と凹所１８の上縁部との隙間幅は０〜３ｍｍ特に０〜１ｍｍ程度が好適である。
【００２８】
このように構成された防水パン１０において、洗い場１４上の水は凹所１８に向って流れる。この水のうち立上り部１６に向った水は、前述の通り洗い場２４に沿って凹所１８に流れる。凹所１８に達した水の大部分は、主流入部Ｍから凹所１８内に流れ込み、ヘアキャッチャー３２を通って排水トラップへ流出する。このヘアキャッチャー３２の取っ手３４は、ヘアキャッチャー３２の中心から見て立上り部１６側に位置しており、主流入部Ｍからヘアキャッチャー３２に流れる水は、取っ手３４や、前述の特許文献２の遮断用リブなどに当ることなくスムーズにヘアキャッチャー３２に流れ込む。このため、取っ手３４に毛髪等が絡み付くことがなく、また常に十分に多い排水流量が確保されるようになる。
【００２９】
なお、取っ手３４を浴槽側としているので、洗い場１４側から取っ手を視認し易い。ただし、取っ手３４は図と１８０゜反対側に配置されてもよい。取っ手３４は、最も立上り部１６側や、それと１８０゜反対側の位置に配置されるのが好ましいが、若干（例えば±４５°以内）それよりもずれてもよい。
【００３０】
上記実施の形態では、洗い場１４に隣接して浴槽が設置されるものとなっているが、浴槽が設置されないシャワー用防水パンなどにも本発明を適用できる。また、上記実施の形態では、立上り部１６の長手方向の途中に凹所１８が設けられているが、洗い場のコーナー部に凹所が設けられてもよい。この場合、主流入部Ｍは、洗い場の交差２辺を向く位置に設けられ、取っ手はそれらと反対側に配置される。
【符号の説明】
【００３１】
１０  防水パン
１４  洗い場
１６  立上り部
１８  凹所
２２  排水カバー載置部
２４  ガイド部
３２  ヘアキャッチャー
３４  取っ手
４０  排水カバー
４２  切欠状部
【図１】
2011226197.tif 000003
【図２】
2011226197.tif 000004
【図３】
2011226197.tif 000005
【図４】
2011226197.tif 000006